(57)【要約】      （修正有）【課題】ハンドル型アプライヤーと共に使用される光重合型の歯科用粘性材料用のカートリッジにおいて、従来のハンドル型アプライヤーを用いることができ、内部の歯科用粘性材料の残量を簡単に確認することが可能な歯科用粘性材料用のカートリッジを提供すること。【解決手段】ハンドル型アプリケーターと共に使用され、先端近傍にノズルとして構成された流出開口１ａを有する円筒状のカートリッジ本体１と軸方向に摺動可能なピストン２から成る遮光性を有する材質で構成された歯科用粘性材料用のカートリッジに於いて、ピストンの長さがカートリッジ本体内部の有効長さＬ１の１／２以上３／４以下であり、ピストンの初期位置に於けるカートリッジ本体内面と密着するピストンの最先部と対応する所からピストンの長さの１／２以上にわたってスリット１ｂがカートリッジ本体に軸方向と略平行に形成されていることを特徴とする歯科用粘性材料用のカートリッジとする。【選択図】図２ａ
0003103505.tif 000002
【実用新案登録請求の範囲】
【請求項１】
ハンドル型アプリケーターと共に使用され、先端近傍にノズルとして構成された流出開口（１ａ）を有する円筒状のカートリッジ本体（１）と軸方向に摺動可能なピストン（２）から成る遮光性を有する材質で構成された歯科用粘性材料用のカートリッジに於いて、ピストン（２）の長さ（Ｌ２）がカートリッジ本体（１）内部の有効長さ（Ｌ１）の１／２以上３／４以下であり、ピストン（２）の初期位置に於けるカートリッジ本体（１）内面と密着するピストン（２）の最先部（Ｙ）と対応する所からピストン（２）の長さ（Ｌ２）の１／２以上にわたってスリット（１ｂ）がカートリッジ本体（１）に軸方向と略平行に形成されていることを特徴とする歯科用粘性材料用のカートリッジ。
【請求項２】
ハンドル型アプリケーターと共に使用され、先端近傍にノズルとして構成された流出開口（１ａ）を有する円筒状のカートリッジ本体（１）と軸方向に摺動可能なピストン（２）から成る遮光性を有する材質で構成された歯科用粘性材料用のカートリッジに於いて、ピストン（２）の長さ（Ｌ２）がカートリッジ本体（１）内部の有効長さ（Ｌ１）の１／２以上３／４以下であり、ピストン（２）の初期位置に於けるカートリッジ本体（１）内面と密着するピストン（２）の最先部（Ｙ）と対応する所からピストン（２）の長さ（Ｌ２）の１／２以上の範囲にわたってカートリッジ本体（１）にピストン確認穴（１ｄ）が少なくとも１つ形成されていることを特徴とする歯科用粘性材料用のカートリッジ。
【考案の詳細な説明】
【技術分野】
【０００１】
本考案は、ハンドル型アプリケーターを用いて内部に収められている光重合型の歯科用粘性材料を押し出して使用される歯科用のカートリッジに関し、カートリッジ内の歯科用粘性材料の残量を簡単に確認することが可能な歯科用粘性材料用の使い捨てのカートリッジに関するものである。
【背景技術】
【０００２】
従来、歯科分野に於いて歯科用充填材料や人工歯用材料，歯冠材作製用材料などの歯科用粘性材料を取り扱う場合、その都度治療の目的に見合う色調などを選定しその選定に基づいて歯科医や技工士や衛生士が歯科用粘性材料となる粉末と練和液とを適正量採取し充分練和して使用していたが、近年このような歯科用粘性材料が各種の色調などに予め粘性を有する状態に練和されて筒状の使い捨て容器（以下、カートリッジと言う）に充填して提供されるようになってきた。
【０００３】
一般的にカートリッジに収容された歯科用粘性材料の使用方法は、歯科用粘性材料の粘性が比較的低い場合には歯科用粘性材料をカートリッジの出口から直接修復しようとする歯牙や作製しようとする歯科用補綴物の表面へ注射器式の押出具を用いて適用したり、出口から歯科用粘性材料を予め少量出しておき、先端が球体やヘラ状などの形状のステッィク状の歯科用インスツルメントでカートリッジ出口の歯科用粘性材料を掻き取って歯科用インスツルメントで修復しようとする歯牙や作製しようとする歯科用材料の表面へ適用する。これら操作を繰り返すことにより歯牙の修復や補綴物の作製を行う。
【０００４】
また比較的粘性の高い歯科用粘性材料の場合には、より強い押し出し力が得られる専用のハンドル型アプリケーターを用いることが多い（例えば、特許文献１参照。）。このハンドル型アプリケーターと共に用いる歯科用粘性材料用のカートリッジは、先端近傍にノズルとして構成された流出開口を有する円筒状のカートリッジ本体と軸方向に摺動可能なピストンから成り（例えば、特許文献２参照。）、内部に収められる歯科用粘性材料が光重合型であるために遮光性を有する材質で構成されている。
【０００５】
しかし従来のハンドル型アプリケーターと共に用いるカートリッジは、遮光性を有する材質で構成されているためにその歯科用粘性材料の残量が確認できないという問題があった。この問題を解決するために光重合を引き起こす波長のみをカットする半透明な材料で構成されたカートリッジも提案されているが（例えば、特許文献３参照。）、近年は複数の触媒を用いた歯科用粘性材料も多く市販されており、触媒の光重合を引き起こす波長が異なり複数になると十分な透明性又は遮光性が得られないという欠点があった。
【０００６】
また、カートリッジのピストンに目盛りを設けて確認する方法も考えられるが、従来のハンドル型アプライヤーがそのまま使用できなくなる問題があった。即ち、従来から使用されているハンドル型アプライヤーのカートリッジ投入部の大きさ，ハンドル型アプライヤーの押出棒の長さやそのストロークの制限などから、カートリッジのピストンは従来同様カートリッジ本体の後端より突出しないことが必要であるために実用されていない。
【０００７】
【特許文献１】特表平９−５０６２７１号公報
【特許文献２】特開２００１−３５３１６９号公報
【特許文献３】特許第３２０９７７３号公報
【考案の開示】
【考案が解決しようとする課題】
【０００８】
そこで本考案は、ハンドル型アプライヤーと共に使用される光重合型の歯科用粘性材料用のカートリッジに於いて、従来のハンドル型アプライヤーを用いることができ、内部の歯科用粘性材料の残量を簡単に確認することが可能な歯科用粘性材料用のカートリッジを提供することを課題とする。
【課題を解決するための手段】
【０００９】
即ち本考案は、ハンドル型アプリケーターと共に使用され、先端近傍にノズルとして構成された流出開口（１ａ）を有する円筒状のカートリッジ本体（１）と軸方向に摺動可能なピストン（２）から成る遮光性を有する材質で構成された歯科用粘性材料用のカートリッジに於いて、ピストン（２）の長さ（Ｌ２）がカートリッジ本体（１）内部の有効長さ（Ｌ１）の１／２以上３／４以下であり、ピストン（２）の初期位置に於けるカートリッジ本体（１）内面と密着するピストン（２）の最先部（Ｙ）と対応する所からピストン（２）の長さ（Ｌ２）の１／２以上にわたってスリット（１ｂ）がカートリッジ本体（１）に軸方向と略平行に形成されていることを特徴とする歯科用粘性材料用のカートリッジ、または、ハンドル型アプリケーターと共に使用され、先端近傍にノズルとして構成された流出開口（１ａ）を有する円筒状のカートリッジ本体（１）と軸方向に摺動可能なピストン（２）から成る遮光性を有する材質で構成された歯科用粘性材料用のカートリッジに於いて、ピストン（２）の長さ（Ｌ２）がカートリッジ本体（１）内部の有効長さ（Ｌ１）の１／２以上３／４以下であり、ピストン（２）の初期位置に於けるカートリッジ本体（１）内面と密着するピストン（２）の最先部（Ｙ）と対応する所からピストン（２）の長さ（Ｌ２）の１／２以上の範囲にわたってカートリッジ本体（１）にピストン確認穴（１ｄ）が少なくとも１つ形成されていることを特徴とする歯科用粘性材料用のカートリッジである。
【考案の効果】
【００１０】
本考案に係る歯科用粘性材料用のカートリッジは、従来のハンドル型アプライヤーを用いることができ、従来と同様の十分な遮光性を有しながら内部の歯科用粘性材料の残量を簡単に確認することが可能な歯科用粘性材料用のカートリッジである。
【考案を実施するための最良の形態】
【００１１】
以下、図面により本考案に係る歯科用粘性材料用のカートリッジについて詳細に説明する。
図１は本考案に係る歯科用粘性材料用のカートリッジの一実施例を示す斜視説明図。図２ａは図１の歯科用粘性材料用のカートリッジの初期状態（ピストンが一度も押されていない状態）を示す断面説明図。図２ｂは図１の歯科用粘性材料用のカートリッジのピストンが最も押された状態を示す断面説明図。図２ｃは本考案に係る歯科用粘性材料用のカートリッジの他の実施例の初期状態を示す断面説明図。図３ａはスリットの応用例を示すカートリッジの上面部分説明図。図３ｂはスリットに代えてピストン確認穴を設けた場合の一例を示すカートリッジの上面部分説明図である。
【００１２】
図面中１は、本考案に係る歯科用粘性材料用のカートリッジの歯科用粘性材料を収めるスペースを取り囲む円筒状のカートリッジ本体である。本考案に係る歯科用粘性材料用のカートリッジは、光重合型の歯科用粘性材料をその内部に収めるためにカートリッジ本体１及び後述のピストン２は共に遮光性を有する材質で構成される必要がある。カートリッジ本体１は先端近傍にノズルとして構成された流出開口１ａを有し、該流出開口１ａと反対側の開口部から後述するピストン２が軸方向に摺動可能な状態で挿入されており、該ピストン２によって内部の歯科用粘性材料が封鎖・遮光されている。また、従来の一般的なカートリッジと同様に流出開口１ａと反対側の開口部の近傍にはハンドル型アプライヤー（図示せず）のカートリッジ装着部に勘合させるためのフランジ１ｃが設けられている。
【００１３】
カートリッジ本体１には、使い捨てのカートリッジの最初の使用開始時、即ちピストン２の初期位置に於けるカートリッジ本体１内面と密着するピストン２の最先部Ｙに対応する所からピストン２の長さＬ２の１／２以上にわたってスリット１ｂが軸方向と略平行に形成されている。このスリット１ｂから後述するカートリッジ内部のピストン２の位置を視認してカートリッジ本体１内部の歯科用粘性材料の残量を確認するので、スリット１ｂはハンドル型アプライヤーに装着した際には例えば図１に示したようにカートリッジ上面など術者から確認可能な位置に配置されていることが必要である。
【００１４】
スリット１ｂが、ピストン２の初期位置に於いて、カートリッジ本体１内面と密着するピストン２の最先部Ｙに対応する所よりも先端よりから形成されていると、カートリッジ内部の光重合型の歯科用粘性材料にスリット１ｂから光が当たってしまい、ピストン２の長さＬ２の１／２より短く形成されていると使用の比較的初期の段階でのピストン２の位置が確認できない。
【００１５】
なお、実際のカートリッジではカートリッジ本体１の内部形状とピストン２とが互いに円筒型で一致している場合は少なく、殆どの市販品が図１，図２に示すような砲弾型のピストンとそれに対応するカートリッジの内部形状である。そのため本考案に於いてはピストン２の長さＬ２を、実質的に、ピストン２の初期位置に於けるカートリッジ本体１内面と密着するピストン２の最先部Ｙからピストン２後端までの長さと定義する。同様にカートリッジ本体１内部の有効長さＬ１を、ピストン２を最も押し込んだときに前述のピストンの部位Ｙに対応するカートリッジ本体の部位Ｘからピストン２の初期位置に於けるピストン２の後端部Ｚまたはカートリッジ後端部の短い方までの長さと定義する。
【００１６】
スリット１ｂは、図３ａに示すように上面から見てＶ字型に形成されていると歯科用粘性材料の残量の多少がイメージ的に分かり易くなるので好ましい。
【００１７】
図面中２はカートリッジ本体１内部に収められた光重合型の歯科用粘性材料を流出開口１ａから押し出すためのピストンである。図２ａ〜図２ｃに示すように、ピストン２の長さＬ２はカートリッジ本体１内部の有効長さＬ１の１／２以上３／４以下であることが重要であり、ピストン２の長さＬ２がカートリッジ本体１内部の有効長さＬ１の３／４より長いとカートリッジの大きさに対して内部に収める歯科用粘性材料の量が少な過ぎたり、またピストン２の初期位置に於いてカートリッジ本体１の流出開口と反対側の開口部からカートリッジ外部へピストン２が必要以上に突出してしまい従来のハンドル型アプライヤーのカートリッジ装着部に対応できない場合がある。一方１／２以下であると内部に収納されている歯科用粘性材料に光が当たる状態になったり、ピストン２を最後まで押し切るときに内部の歯科用粘性材料残量の確認がスリット１ｂから行えなくなってしまう。
【００１８】
本考案に係る歯科用粘性材料用のカートリッジでは、スリット１ｂの代わりにピストン確認穴１ｄを用いることも可能であり、その場合のカートリッジ本体内部の有効長さＬ１及びピストン２の長さなどの規定はスリット１ｂを使用した場合に準ずる。ピストン確認穴１ｄはピストン２の初期位置に於けるカートリッジ本体１内面と密着するピストン２の最先部Ｙと対応する所からピストン２の長さＬ２の１／２以上の範囲にわたって少なくとも１つ形成される。
【００１９】
本考案に係る歯科用粘性材料用のカートリッジは、更にピストン２のスリット１ｂまたはピストン確認穴１ｄから視認できる部位や、スリット１ｂまたはピストン確認穴１ｄ周辺に目盛りを付けたり、ピストン２とカートリッジ本体１との色を変えたりすることでよってより確認し易くすることも可能である。
【図面の簡単な説明】
【００２０】
【図１】本考案に係る歯科用粘性材料用のカートリッジの一実施例を示す斜視説明図。
【図２ａ】図１の歯科用粘性材料用のカートリッジの初期状態（ピストン２が一度も押されていない状態）を示す断面説明図。
【図２ｂ】図１の歯科用粘性材料用のカートリッジのピストンが最も押された状態を示す断面説明図。
【図２ｃ】本考案に係る歯科用粘性材料用のカートリッジの他の実施例の初期状態を示す断面説明
【図３ａ】スリットの応用例を示すカートリッジの上面部分説明図。
【図３ｂ】スリットに代えてピストン確認穴を形成した場合の一例を示すカートリッジの上面部分説明図。
【符号の説明】
【００２１】
１  カートリッジ本体
１ａ  流出開口部
１ｂ  スリット
１ｃ  フランジ
１ｄ  ピストン確認穴
２  ピストン
Ｌ１  カートリッジ本体内部の有効長さ
Ｌ２  ピストンの長さ
Ｘ  ピストンを最も押し込んだときにピストンの部位Ｙに対応するカートリッジ本体の部
位
Ｙ  ピストンの初期位置に於けるカートリッジ本体内面と密着するピストンの最先部
Ｚ  ピストンの初期位置に於けるピストンの後端部
【図１】
0003103505.tif 000003
【図２ａ】
0003103505.tif 000004
【図２ｂ】
0003103505.tif 000005
【図２ｃ】
0003103505.tif 000006
【図３ａ】
0003103505.tif 000007
【図３ｂ】
0003103505.tif 000008